(57)【要約】【課題】簡単な構造で、配光を変えることのできる発光装置を提供すること。【解決手段】本発明の発光装置１は、複数の光源モジュール２を取り付ける取付面（第一取付面４ａ、第二取付面４ｂ、第三取付面４ｃ）を側面部に有するモジュール支持体４を備え、取付面は、複数の第一取付面４ａと、装置中心軸に対する角度が第一取付面４ａと異なる複数の第二取付面４ｂとを含む。【選択図】図３
2016001543.tif 000002
【特許請求の範囲】
【請求項１】
複数の光源モジュールを取り付ける取付面を側面部に有するモジュール支持体を備え、
前記取付面は、複数の第一取付面と、装置中心軸に対する角度が前記第一取付面と異なる複数の第二取付面とを含む発光装置。
【請求項２】
前記第一取付面と前記第二取付面とが装置中心軸の方向に隣り合う請求項１に記載の発光装置。
【請求項３】
装置中心軸の方向から見たとき、前記第一取付面は、仮想の多角形の各辺に沿う請求項１または請求項２に記載の発光装置。
【請求項４】
前記第一取付面は、近位取付面及び遠位取付面を含み、前記近位取付面と装置中心軸との距離が前記遠位取付面と装置中心軸との距離より短い請求項１から請求項３のいずれか一項に記載の発光装置。
【請求項５】
前記取付面は、装置中心軸に対する角度が前記第一取付面及び前記第二取付面と異なる複数の第三取付面を含む請求項１から請求項４のいずれか一項に記載の発光装置。
【請求項６】
前記第二取付面は装置中心軸に対し傾斜し、前記第三取付面は装置中心軸に対し前記第二取付面と反対方向に傾斜している請求項５に記載の発光装置。
【請求項７】
前記第二取付面及び前記第三取付面が、装置中心軸に対する周方向に、交互に位置する請求項５または請求項６に記載の発光装置。
【請求項８】
装置中心軸の方向の位置が前記第二取付面と同じ位置において、前記第一取付面及び前記第二取付面が、装置中心軸に対する周方向に、交互に位置し、
装置中心軸の方向の位置が前記第三取付面と同じ位置において、前記第一取付面及び前記第三取付面が、装置中心軸に対する周方向に、交互に位置する請求項７に記載の発光装置。
【請求項９】
前記第二取付面と装置中心軸との距離と、前記第三取付面と装置中心軸との距離とが異なる請求項５から請求項８のいずれか一項に記載の発光装置。
【請求項１０】
装置中心軸の方向から見たとき、前記取付面は、回転対称な形状の仮想の多角形の辺に沿う請求項１から請求項９のいずれか一項に記載の発光装置。
【請求項１１】
装置中心軸に対する前記モジュール支持体の取り付けの向きが反転可能である請求項１から請求項１０のいずれか一項に記載の発光装置。
【請求項１２】
前記光源モジュールに電力を供給する電力供給線を前記装置中心軸に沿って通す通路を備える請求項１から請求項１１のいずれか一項に記載の発光装置。
【請求項１３】
前記モジュール支持体は、前記光源モジュールに電力を供給する電力供給線を中継する中継部を取り付け可能な中継面を有し、
前記中継面は、第一中継面と、前記第一中継面に対し装置中心軸の方向の反対側に位置する第二中継面とを含む請求項１から請求項１２のいずれか一項に記載の発光装置。
【請求項１４】
前記光源モジュールを前記取付面に対し支持枝を介して取り付ける請求項１から請求項１３のいずれか一項に記載の発光装置。
【発明の詳細な説明】
【技術分野】
【０００１】
本発明は、発光装置に関する。
【背景技術】
【０００２】
特許文献１には、ソケット部、ソケット部に一側が連結するように円筒状に形成された胴体部、胴体部の他側に連結され円周部分が同じ間隔で離隔するように分離された複数の締結部材を有するキャッピング部、複数の締結部材の間に回転するように締結された複数のヒンジを有するヒンジ部、複数のヒンジにより複数の締結部材を中心としてそれぞれ第１方向に回転しながら第２方向に回転する複数の発光素子が配列される複数の光モジュールで構成される光源部、及び、複数の光モジュールの下部とそれぞれ接するように形成された複数の放熱板を有する放熱部を備える照明装置が開示されている。
【０００３】
特許文献２には、固定ハウジング、環状に設置された少なくとも３枚のＬＥＤ発光、及び、各ＬＥＤ発光板の底端両側に設けた可動接続部を備え、各ＬＥＤ発光板は、垂直に直立し、あるいは傾斜する方式で、さまざまな照射角度を形成する照明装置が開示されている。
【０００４】
特許文献３には、少なくとも一面が面発光部を構成するメインパネルと、メインパネルに対して連結部を介して回動可能に支持され少なくとも一面が面発光部を構成するサブパネルとを備え、サブパネルがメインパネルに対して辺回動もしくは点回動する照明装置が開示されている。
【０００５】
特許文献４には、有機エレクトロルミネッセンス素子を用いた面状発光体を複数備え、面状発光体の各々の一端を紡錘形状に閉じた閉状態と放射状に開いた開状態とに回動可能に軸支した発光部を有する照明装置が開示されている。
【先行技術文献】
【特許文献】
【０００６】
【特許文献１】特表２０１３−５０５５２２号公報
【特許文献２】実用新案登録第３１７７６５８号公報
【特許文献３】特開２００８−１８６５９９号公報
【特許文献４】特許第５１３１０４７号公報
【発明の概要】
【発明が解決しようとする課題】
【０００７】
特許文献１に開示された照明装置は、光源部を回転させることで配光を変えると、外径及び長さが大きく変化する。また、特許文献１の構成は、構造が複雑であり、コストが高くなる。
【０００８】
特許文献２に開示された照明装置は、ＬＥＤ発光板の傾斜角度を大きくするほど外周側へのＬＥＤ発光板の張り出し量が大きくなって外径が拡大する。また、特許文献２の構成では、装置の基端側に配光させることはできるが、装置の先端側に配光させることができない。また、特許文献２の構成は、構造が複雑であり、コストが高くなる。
【０００９】
特許文献３に開示された照明装置は、メインパネルがあるために外径の大きさが過大になる。また、サブパネルの傾斜角度を大きくするほど外周側へのサブパネルの張り出し量が大きくなって外径が拡大する。また、特許文献４の構成は、構造が複雑であり、コストが高くなる。
【００１０】
特許文献４に開示された照明装置は、面状発光体の傾斜角度を大きくするほど外周側への面状発光体の張り出し量が大きくなって外径が拡大する。また、特許文献４の構成では、装置の先端側に配光させることはできるが、装置の基端側に配光させることができない。また、特許文献４の構成は、構造が複雑であり、コストが高くなる。
【００１１】
本発明は、上述のような課題を解決するためになされたもので、簡単な構造で、配光を変えることのできる発光装置を提供することを目的とする。
【課題を解決するための手段】
【００１２】
本発明に係る発光装置は、複数の光源モジュールを取り付ける取付面を側面部に有するモジュール支持体を備え、取付面は、複数の第一取付面と、装置中心軸に対する角度が第一取付面と異なる複数の第二取付面とを含むものである。
【発明の効果】
【００１３】
本発明によれば、簡単な構造で、配光を変えることが可能となる。
【図面の簡単な説明】
【００１４】
【図１】本発明の実施の形態１の発光装置を示す斜視図である。
【図２】本発明の実施の形態１の発光装置を示す斜視図である。
【図３】本発明の実施の形態１の発光装置を示す斜視図である。
【図４】本発明の実施の形態１の発光装置のモジュール支持体及び支柱を示す斜視図である。
【図５】本発明の実施の形態１の発光装置のモジュール支持体及び支柱を装置中心軸の方向（先端側）から見た図及び装置中心軸を含む平面で切断した断面図である。
【図６】図１に示す発光装置を用いたランプを示す斜視図である。
【図７】図６に示すランプを用いた街路灯を示す斜視図である。
【図８】本発明の実施の形態２の発光装置が備えるモジュール支持体及び支柱を装置中心軸の方向（先端側）から見た図及び装置中心軸を含む平面で切断した断面図である。
【図９】本発明の実施の形態２の発光装置が備えるモジュール支持体及び支柱を装置中心軸の方向（先端側）から見た図及び装置中心軸を含む平面で切断した断面図である。
【図１０】本発明の実施の形態２の発光装置を示す斜視図である。
【図１１】図１０に示す発光装置を装置中心軸の方向（先端側）から見た図である。
【図１２】本発明の実施の形態２の発光装置を示す斜視図である。
【図１３】図１２に示す発光装置を装置中心軸の方向（先端側）から見た図である。
【図１４】本発明の実施の形態２の発光装置を示す斜視図である。
【図１５】図１４に示す発光装置を装置中心軸の方向（先端側）から見た図である。
【図１６】本発明の実施の形態２の発光装置を示す斜視図である。
【図１７】図１６に示す発光装置を装置中心軸の方向（先端側）から見た図である。
【図１８】本発明の実施の形態２の発光装置を示す斜視図である。
【図１９】図１８に示す発光装置を装置中心軸の方向（先端側）から見た図である。
【図２０】本発明の実施の形態２の発光装置を示す斜視図である。
【図２１】図２０に示す発光装置を装置中心軸の方向（先端側）から見た図である。
【図２２】本発明の実施の形態３の発光装置を示す斜視図である。
【図２３】本発明の実施の形態３の発光装置を示す斜視図である。
【図２４】本発明の実施の形態３の発光装置を示す斜視図である。
【発明を実施するための形態】
【００１５】
以下、図面を参照して本発明の実施の形態について説明する。なお、各図において共通する要素には、同一の符号を付して、重複する説明を省略する。
【００１６】
実施の形態１．
図１から図３は、それぞれ、本発明の実施の形態１の発光装置を示す斜視図である。これらの図に示すように、本実施の形態１の発光装置１は、光源モジュール２と、装置本体３と、モジュール支持体４とを備える。
【００１７】
装置本体３は、一端に口金３ａを備える。口金３ａの中心を通る直線が、発光装置１の中心軸になる。発光装置１の中心軸を以下「装置中心軸」と称する。また、発光装置１の口金３ａ側を装置基端側と称し、その反対側を装置先端側と称する。
【００１８】
光源モジュール２は、光源基板２ａと、光源基板２ａ上に配置された複数の発光素子２ｂと、光源基板２ａに接続された給電部２ｃとを備える。発光素子２ｂとしては、例えばＬＥＤ（Ｌｉｇｈｔ  Ｅｍｉｔｔｉｎｇ  Ｄｉｏｄｅ）光源が好ましく用いられる。給電部２ｃに供給される電力が、光源基板２ａに形成された導電パターン（図示省略）を介して、各発光素子２ｂへ伝達される。光源モジュール２は、ネジ５を用いてモジュール支持体４に取り付けられている。本実施の形態１では、３個の光源モジュール２が、装置中心軸の周りに配置されている。このように複数の光源モジュール２を装置中心軸の周りに配置することで、発光装置１の全周囲への配光を確保できる。本発明では、光源モジュール２の個数は、３個に限らず、４個以上でもよい。複数の光源モジュール２は、装置中心軸の周りに等角度間隔に配置されることが望ましい。
【００１９】
光源基板２ａは、有機材料基板、あるいはセラミック系基板でもよいが、アルミニウムまたは鉄などの金属系基板で構成することが好ましい。光源基板２ａを金属系基板で構成することにより、放熱性を高めるとともに、振動への耐久性を向上することができる。また、光損失を抑えるため、光源基板２ａの表面に、白色系塗料などで表面レジスト処理を行っても良い。光源基板２ａの裏面側に、放熱フィン等の放熱体を設けても良い。
【００２０】
装置本体３は、口金３ａと同軸的に設けられた口金保持部３ｂ及び支柱３ｃを備える。口金保持部３ｂの一端側に口金３ａが設けられ、口金保持部３ｂの他端側から支柱３ｃが突出する。口金保持部３ｂは、口金３ａより外径の大きい略円筒状をなしている。支柱３ｃは装置中心軸に沿って先端方向へ延びる。モジュール支持体４は、装置本体３の支柱３ｃの先端部分に取り付けられている。モジュール支持体４は、光源モジュール２を取り付ける取付面を側面部に有する。支柱３ｃの先端部分は、モジュール支持体４の中心部に形成された穴を貫通している。
【００２１】
図３に示すように、支柱３ｃは、中空部を有する。支柱３ｃの中空部は、光源モジュール２へ電力を供給する電力供給線６が通る通路となる。モジュール支持体４には、中継基板７（中継部）が取り付けられている。中継基板７は、コネクタ７ａを備える。電力供給線６は、コネクタ７ａに接続される。電力供給線８は、コネクタ７ａと光源モジュール２の給電部２ｃとを接続する。コネクタ７ａは、電力供給線６と電力供給線８とを着脱できる。口金３ａに供給される電力が、電力供給線６、中継基板７、及び電力供給線８を介して光源モジュール２に供給されることで、発光素子２ｂが点灯する。
【００２２】
図１に示す発光装置１では、各光源モジュール２の光源基板２ａは、装置中心軸に平行になっている。図２に示す発光装置１では、各光源モジュール２の光源基板２ａは、装置先端側にいくほど装置中心軸に近づくように傾斜している。図３に示す発光装置１では、各光源モジュール２の光源基板２ａは、装置先端側にいくほど装置中心軸から離れるように傾斜している。本実施の形態１の発光装置１は、モジュール支持体４が備える複数の取付面を選択的に用いることで、光源モジュール２の取り付け角度を図１から図３のように変えることができる。
【００２３】
図４は、本実施の形態１の発光装置１のモジュール支持体４及び支柱３ｃを示す斜視図である。図５は、本実施の形態１の発光装置１のモジュール支持体４及び支柱３ｃを装置中心軸の方向（先端側）から見た図及び装置中心軸を含む平面で切断した断面図である。図４に示すように、モジュール支持体４の側面部の取付面は、複数の第一取付面４ａ、複数の第二取付面４ｂ、及び複数の第三取付面４ｃを含む。各取付面には、ネジ５で光源モジュール２を取り付けるための取付穴が設けられている。
【００２４】
図５に示すように、第一取付面４ａは、装置中心軸に平行になっている。第二取付面４ｂは、装置中心軸に対し傾斜している。第三取付面４ｃは、装置中心軸に対し第二取付面４ｂと反対方向に傾斜している。第一取付面４ａに光源モジュール２を取り付けた場合、図１のようになる。第二取付面４ｂに光源モジュール２を取り付けた場合、図２のようになる。第三取付面４ｃに光源モジュール２を取り付けた場合、図３のようになる。装置中心軸に対する第二取付面４ｂの角度と、装置中心軸に対する第三取付面４ｃの角度とは、大きさが等しいことが好ましいが、異なっていても良い。
【００２５】
本実施の形態１によれば、配光の異なる図１から図３の発光装置１を共通の部品で製造できるので、コストを低減できる。モジュール支持体４の第一取付面４ａ、第二取付面４ｂ、及び第三取付面４ｃから、光源モジュール２を取り付ける位置を選択するだけで図１から図３の発光装置１を製造できるので、製造工程も共通にできる。また、発光装置１を使用箇所に取り付ける際に、使用箇所の状況に応じて光源モジュール２の取り付け角度を変更するようにしても良い。
【００２６】
図５に示すように、装置中心軸の方向から見たとき、第一取付面４ａ、第二取付面４ｂ、及び第三取付面４ｃは、正六角形の辺に沿うように位置する。このように、本発明では、装置中心軸の方向から見たとき、モジュール支持体４の取付面が、回転対称な形状の仮想の多角形の辺に沿うことが好ましく、モジュール支持体４の取付面が、仮想の正多角形の辺に沿うことがより好ましい。このようにすることで、複数の光源モジュール２を回転対称に配置でき、より良い配光が得られる。
【００２７】
また、装置中心軸の方向から見たとき、第一取付面４ａは、仮想の多角形（本実施の形態１では正六角形）の各辺に沿うように位置する。このように、装置中心軸に対する角度が等しい取付面が仮想の多角形の各辺に設けられることで、モジュール支持体４を成形する上で、その成形精度を容易に向上できる。特に、本実施の形態１では、装置中心軸に平行な第一取付面４ａが仮想の多角形の各辺に設けられることで、モジュール支持体４を成形する上で、その成形精度をさらに容易に向上できる。
【００２８】
なお、上述した仮想の多角形とは、モジュール支持体４の実際の外形を装置中心軸の方向へ正射影した形状を意味するものではない。モジュール支持体４の実際の外形を装置中心軸の方向へ正射影した形状は、完全な多角形でなくても良く、例えば、角を欠いていたり、辺の途中を欠いていたりしても良い。
【００２９】
本実施の形態１では、第一取付面４ａが装置中心軸に平行であるが、本発明では、第一取付面４ａが装置中心軸に対し傾斜していても良い。
【００３０】
本実施の形態１では、装置中心軸に対する角度が異なる三種の取付面、すなわち第一取付面４ａ、第二取付面４ｂ、及び第三取付面４ｃをモジュール支持体４に設けたことで、光源モジュール２の取り付け角度をより多様に変えることができる。特に、第三取付面４ｃが、装置中心軸に対し第二取付面４ｂと反対方向に傾斜していることで、光源モジュール２の取り付け角度をさらに多様に変えることができる。ただし、本発明では、装置中心軸に対する角度が異なる少なくとも二種の取付面をモジュール支持体４に設ければ良い。
【００３１】
図４に示すように、第一取付面４ａと第二取付面４ｂとは、装置中心軸の方向に隣り合う。このようにすることで、第一取付面４ａの幅（装置中心軸に直交する方向の長さ）、及び第二取付面４ｂの幅（装置中心軸に直交する方向の長さ）を長く確保でき、光源モジュール２の取り付け剛性を向上できる。また、第一取付面４ａと第三取付面４ｃとは、装置中心軸の方向に隣り合う。このようにすることで、第一取付面４ａの幅（装置中心軸に直交する方向の長さ）、及び第三取付面４ｃの幅（装置中心軸に直交する方向の長さ）を長く確保でき、光源モジュール２の取り付け剛性を向上できる。
【００３２】
第二取付面４ｂ及び第三取付面４ｃは、装置中心軸に対する周方向に、交互に位置する。このようにすることで、第二取付面４ｂ及び第三取付面４ｃが装置中心軸の方向に並ぶことを回避できるので、モジュール支持体４の厚さ（装置中心軸の方向の長さ）が大きくなることを抑制できる。
【００３３】
装置中心軸の方向の位置が第二取付面４ｂと同じ位置においては、第一取付面４ａ及び第二取付面４ｂが、装置中心軸に対する周方向に、交互に位置する。また、装置中心軸の方向の位置が第三取付面４ｃと同じ位置においては、第一取付面４ａ及び第三取付面４ｃが、装置中心軸に対する周方向に、交互に位置する。このようにすることで、第二取付面４ｂ及び第三取付面４ｃが装置中心軸の方向に並ぶことを回避できるので、モジュール支持体４の厚さ（装置中心軸の方向の長さ）が大きくなることを抑制できる。
【００３４】
図６は、図１に示す発光装置１を用いたランプを示す斜視図である。図６に示すランプ９は、図１に示す発光装置１の光源モジュール２、モジュール支持体４、及び支柱３ｃの部分を覆う透光性カバー１０を有する。
【００３５】
図７は、図６に示すランプ９を用いた街路灯を示す斜視図である。図７に示す街路灯１１は、図６に示すランプ９と、球形の透明のグローブ１２とを備え、グローブ１２の内部にランプ９を設置したものである。
【００３６】
以上、本発明の実施の形態１について説明したが、本発明の発光装置の適用対象は、本実施の形態１のような口金を有するランプに限定されるものではなく、例えばダウンライト、高天井照明、投光器などを含む、様々な照明器具に適用可能である。
【００３７】
実施の形態２．
次に、図８から図２１を参照して、本発明の実施の形態２について説明するが、上述した実施の形態１との相違点を中心に説明し、同一部分または相当部分は同一符号を付し説明を省略する。
【００３８】
図８は、本実施の形態２の発光装置１３が備えるモジュール支持体１４及び支柱３ｃを装置中心軸の方向（先端側）から見た図及び装置中心軸を含む平面で切断した断面図である。図８に示すように、本実施の形態２の発光装置１３が備えるモジュール支持体１４の側面部の取付面は、複数の第一近位取付面１４ａ、複数の第一遠位取付面１４ｂ、複数の第二取付面１４ｃ、及び複数の第三取付面１４ｄを含む。
【００３９】
第一取付面である第一近位取付面１４ａ及び第一遠位取付面１４ｂは、装置中心軸に平行になっている。第一近位取付面１４ａと装置中心軸との距離は、第一遠位取付面１４ｂと装置中心軸との距離より短い。装置中心軸−第一遠位取付面１４ｂ間の距離と、装置中心軸−第一近位取付面１４ａ間の距離との比は、１．１以上が好ましい。第二取付面１４ｃと装置中心軸との距離と、第三取付面１４ｄと装置中心軸との距離とは、異なる。すなわち、第二取付面１４ｃと装置中心軸との距離は、第三取付面１４ｄと装置中心軸との距離より短い。装置中心軸−第三取付面１４ｄ間の距離と、装置中心軸−第二取付面１４ｃ間の距離との比は、１．１以上が好ましい。第二取付面１４ｃは、装置中心軸に対し傾斜している。第三取付面１４ｄは、装置中心軸に対し第二取付面１４ｃと反対方向に傾斜している。装置中心軸に対する第二取付面１４ｃの角度と、装置中心軸に対する第三取付面１４ｄの角度とは、大きさが等しいことが好ましいが、異なっていても良い。本実施の形態２では、第一近位取付面１４ａ及び第一遠位取付面１４ｂが装置中心軸に平行であるが、第一近位取付面１４ａ及び第一遠位取付面１４ｂが装置中心軸に対し傾斜していても良い。
【００４０】
モジュール支持体１４は、中継基板７（中継部）を取り付け可能な中継面として、第一中継面１４ｅ及び第二中継面１４ｆを有する。第二中継面１４ｆは、第一中継面１４ｅに対し装置中心軸の方向の反対側に位置する。
【００４１】
図９は、本実施の形態２の発光装置１３が備えるモジュール支持体１４及び支柱３ｃを装置中心軸の方向（先端側）から見た図及び装置中心軸を含む平面で切断した断面図である。図９は、図８と比べて、装置中心軸に対するモジュール支持体１４の取り付けの向きが反転している。本実施の形態２では、モジュール支持体１４を支柱３ｃに固定するときに、モジュール支持体１４を裏返しにしても支柱３ｃに固定可能である。これにより、図８の向きと、図９の向きとを選択できる。図８の向きにしたときには、第一中継面１４ｅに中継基板７を取り付ける。図９の向きにしたときには、第二中継面１４ｆに中継基板７を取り付ける。これにより、いずれの向きにしたときでも、中継基板７を取り付け可能である。
【００４２】
図１０は、本実施の形態２の発光装置１３を示す斜視図である。図１１は、図１０に示す発光装置１３を装置中心軸の方向（先端側）から見た図である。図８のモジュール支持体１４の向きで、第一近位取付面１４ａに光源モジュール２を取り付けた場合、図１０及び図１１のようになる。
【００４３】
図１２は、本実施の形態２の発光装置１３を示す斜視図である。図１３は、図１２に示す発光装置１３を装置中心軸の方向（先端側）から見た図である。図８のモジュール支持体１４の向きで、第一遠位取付面１４ｂに光源モジュール２を取り付けた場合、図１２及び図１３のようになる。
【００４４】
本実施の形態２によれば、第一近位取付面１４ａ及び第一遠位取付面１４ｂを設けたことで、光源モジュール２と装置中心軸との距離が近い発光装置１３（図１０、図１１）と、光源モジュール２の取り付け角度がそれと同じで光源モジュール２と装置中心軸との距離が遠い発光装置１３（図１２、図１３）とを、共通の部品で製造できるので、コストを低減できる。
【００４５】
図１４は、本実施の形態２の発光装置１３を示す斜視図である。図１５は、図１４に示す発光装置１３を装置中心軸の方向（先端側）から見た図である。図８のモジュール支持体１４の向きで、第二取付面１４ｃに光源モジュール２を取り付けた場合、図１４及び図１５のようになる。
【００４６】
図１６は、本実施の形態２の発光装置１３を示す斜視図である。図１７は、図１６に示す発光装置１３を装置中心軸の方向（先端側）から見た図である。図９のモジュール支持体１４の向きで、第三取付面１４ｄに光源モジュール２を取り付けた場合、図１６及び図１７のようになる。
【００４７】
本実施の形態２によれば、第二取付面１４ｃ及び第三取付面１４ｄを設け、装置中心軸に対するモジュール支持体１４の取り付けの向きを反転可能にしたことで、光源モジュール２と装置中心軸との距離が近い発光装置１３（図１４、図１５）と、光源モジュール２の傾斜方向がそれと同じで光源モジュール２と装置中心軸との距離が遠い発光装置１３（図１６、図１７）とを、共通の部品で製造できるので、コストを低減できる。
【００４８】
図１８は、本実施の形態２の発光装置１３を示す斜視図である。図１９は、図１８に示す発光装置１３を装置中心軸の方向（先端側）から見た図である。図８のモジュール支持体１４の向きで、第三取付面１４ｄに光源モジュール２を取り付けた場合、図１８及び図１９のようになる。
【００４９】
図２０は、本実施の形態２の発光装置１３を示す斜視図である。図２１は、図２０に示す発光装置１３を装置中心軸の方向（先端側）から見た図である。図９のモジュール支持体１４の向きで、第二取付面１４ｃに光源モジュール２を取り付けた場合、図２０及び図２１のようになる。
【００５０】
本実施の形態２によれば、第二取付面１４ｃ及び第三取付面１４ｄを設け、装置中心軸に対するモジュール支持体１４の取り付けの向きを反転可能にしたことで、光源モジュール２と装置中心軸との距離が遠い発光装置１３（図１８、図１９）と、光源モジュール２の傾斜方向がそれと同じで光源モジュール２と装置中心軸との距離が近い発光装置１３（図２０、図２１）とを、共通の部品で製造できるので、コストを低減できる。
【００５１】
以上のように、本実施の形態２によれば、図１０から図２１に示す配光の異なる６種の発光装置１３を共通の部品で製造できるので、コストを低減できる。
【００５２】
実施の形態３．
次に、図２２から図２４を参照して、本発明の実施の形態３について説明するが、上述した実施の形態１との相違点を中心に説明し、同一部分または相当部分は同一符号を付し説明を省略する。
【００５３】
図２２から図２４は、それぞれ、本発明の実施の形態３の発光装置を示す斜視図である。これらの図に示す本実施の形態３の発光装置１５は、モジュール支持体４の取付面と光源モジュール２との間に設置される支持枝１６を備える。
【００５４】
図２２の発光装置１５は、モジュール支持体４の取付面に対し支持枝１６を介して光源モジュール２を取り付けたこと以外は、図１の発光装置１と同様である。図２３の発光装置１５は、モジュール支持体４の取付面に対し支持枝１６を介して光源モジュール２を取り付けたこと以外は、図２の発光装置１と同様である。図２４の発光装置１５は、モジュール支持体４の取付面に対し支持枝１６を介して光源モジュール２を取り付けたこと以外は、図３の発光装置１と同様である。
【００５５】
本実施の形態３によれば、必要に応じて支持枝１６を用いて光源モジュール２を取り付けることで、より多様な配光の発光装置を製造できる。図２２から図２４の例では、すべての光源モジュール２を支持枝１６を介して取り付けているが、一部の光源モジュール２のみを支持枝１６を介して取り付けても良い。また、実施の形態２の発光装置１３のモジュール支持体１４の取付面に支持枝１６を介して光源モジュール２を取り付けても良い。
【符号の説明】
【００５６】
１  発光装置、２  光源モジュール、２ａ  光源基板、２ｂ  発光素子、２ｃ  給電部、３  装置本体、３ａ  口金、３ｂ  口金保持部、３ｃ  支柱、４  モジュール支持体、４ａ  第一取付面、４ｂ  第二取付面、４ｃ  第三取付面、５  ネジ、６  電力供給線、７  中継基板、７ａ  コネクタ、８  電力供給線、９  ランプ、１０  透光性カバー、１１  街路灯、１２  グローブ、１３  発光装置、１４  モジュール支持体、１４ａ  第一近位取付面、１４ｂ  第一遠位取付面、１４ｃ  第二取付面、１４ｄ  第三取付面、１４ｅ  第一中継面、１４ｆ  第二中継面、１５  発光装置、１６  支持枝
【図１】
2016001543.tif 000003
【図２】
2016001543.tif 000004
【図３】
2016001543.tif 000005
【図４】
2016001543.tif 000006
【図５】
2016001543.tif 000007
【図６】
2016001543.tif 000008
【図７】
2016001543.tif 000009
【図８】
2016001543.tif 000010
【図９】
2016001543.tif 000011
【図１０】
2016001543.tif 000012
【図１１】
2016001543.tif 000013
【図１２】
2016001543.tif 000014
【図１３】
2016001543.tif 000015
【図１４】
2016001543.tif 000016
【図１５】
2016001543.tif 000017
【図１６】
2016001543.tif 000018
【図１７】
2016001543.tif 000019
【図１８】
2016001543.tif 000020
【図１９】
2016001543.tif 000021
【図２０】
2016001543.tif 000022
【図２１】
2016001543.tif 000023
【図２２】
2016001543.tif 000024
【図２３】
2016001543.tif 000025
【図２４】
2016001543.tif 000026